(57)【特許請求の範囲】
【請求項１】
被検眼の画像を取得する光学系を備えた眼科装置において、
前記光学系を用いて前記被検眼の前眼部を撮影する前眼部撮影モード、または前記光学系を用いて前記被検眼の眼底を撮影する眼底撮影モードを選択する撮影モード選択手段と、
前記光学系を含む光学部を前記被検眼に対して移動する移動手段と、
前記光学系の光路に配置された対物レンズと、
前記対物レンズに対して前記被検眼とは反対側の光路に挿脱可能な前眼部撮影用レンズ
と、
前記前眼部撮影モードが選択された場合に、前記対物レンズに対して前記被検眼とは反対側の光路に前記前眼部撮影用レンズを挿入し、前記光学部の移動可能な範囲を前記眼底撮影モードが選択された場合における移動可能な範囲よりも狭い範囲に変更する範囲変更手段と、を有することを特徴とする眼科装置。
【請求項２】
前記前眼部撮影モードは、前記光学系を用いて前記前眼部の断層像を撮影するモードであり、前記眼底撮影モードは、前記光学系を用いて前記眼底の断層像を撮影するモードであることを特徴とする請求項１に記載の眼科装置。
【請求項３】
前記眼底撮影モードが選択された場合における前記光学部の移動可能な範囲は、前記前眼部撮影モードが選択された場合における前記光学部の移動可能な範囲よりも前記被検眼側に広いことを特徴とする請求項１または請求項２記載の眼科装置。
【請求項４】
前記眼底撮影モードが選択された場合における前記光学部の移動可能な範囲における前記被検眼から最も離れた位置は、前記前眼部撮影モードが選択された場合における前記光学部の移動可能な範囲における前記被検眼から最も離れた位置と同一であることを特徴とする請求項１乃至３のいずれか１項に記載の眼科装置。
【請求項５】
前記対物レンズに対して前記被検眼とは反対側の光路における前記前眼部用対物レンズの有無を判定する判定手段を更に備えることを特徴とする請求項１乃至４のいずれか１項に記載の眼科装置。
【請求項６】
前記撮影モード選択手段により前記前眼部撮影モードが選択された場合において前記判定手段の判定結果に基づいて前記被検眼の画像の取得指示を無効とするか否かを判断する取得指示制御手段、
を備えることを特徴とする請求項５記載の眼科装置。
【請求項７】
対物レンズを有するとともに被検眼の画像を取得する光学系を備えた眼科装置の制御方法において、
前記光学系を用いて前記被検眼の前眼部を撮影する前眼部撮影モード、または前記光学系を用いて前記被検眼の眼底を撮影する眼底撮影モードを選択する撮影モード選択工程と、
前記前眼部撮影モードが選択された場合に、前記対物レンズに対して前記被検眼とは反対側の光路に挿脱可能な前眼部撮影用レンズを挿入し、前記光学系の移動可能な範囲を前記眼底撮影モードが選択された場合における移動可能な範囲よりも狭い範囲に変更する範囲変更工程と、を有することを特徴とする眼科装置の制御方法。
【請求項８】
前記前眼部撮影モードは、前記光学系を用いて前記前眼部の断層像を撮影するモードであり、前記眼底撮影モードは、前記光学系を用いて前記眼底の断層像を撮影するモードであることを特徴とする請求項７に記載の眼科装置の制御方法。
【請求項９】
請求項８に記載の眼科装置の制御方法の各工程をコンピュータに実行させることを特徴とするプログラム。
【発明の詳細な説明】
【技術分野】
【０００１】
本発明は、被検眼の画像を取得する眼科装置に関する。
【背景技術】
【０００２】
光干渉断層計（ＯＣＴ；Ｏｐｔｉｃａｌ  Ｃｏｈｅｒｅｎｃｅ  Ｔｏｍｏｇｒａｐｈｙ）や眼底カメラ等の眼科装置は、眼底および前眼部の画像を得ることが可能である。これらの眼科検査装置は、眼底部およびに前眼部へ焦点を合わせる必要がある。そのために、所謂Ｚ軸のストロークの大きな光学ヘッドの配置、着脱可能な額当て及び顎受け部材を装着する、あるいは装置外部に着脱可能な光学部材を配置する（特許文献１および２参照）ことにより、眼底部と前眼部へ焦点を合わせることを実現している。
【先行技術文献】
【特許文献】
【０００３】
【特許文献１】特許第３３８６８３９号公報
【特許文献２】米国特許第７８３０５２５号明細書
【発明の概要】
【発明が解決しようとする課題】
【０００４】
上述したＺ軸のストロークの拡大によれば本体が大きくなる。このため、通常は額当ておよび顎受けを併用する場合が多い。しかし、この場合、前眼撮影モード時に部材を装着する場合に該装着部材を装着し忘れる、あるいは前眼撮影モード以外での該装着部材外し忘れる恐れがあった。
また、特許文献１あるいは２に示されるように装着部材を対物レンズ前に装着するものについては、眼底撮影と比べて装置本体と被検眼の距離が縮まり、操作を慎重にしなければならない。
【０００５】
本発明は以上の状況に鑑みて、前眼部撮影モードへの切換え時に装着部材の装着忘れ等を確実に認識することを可能とすることを目的とする。
また、前記部材を装着しないものについては、装着特有の問題は無いものの、前眼撮影モード時に、眼底撮影と比べて被検眼との距離が縮まり、操作を慎重にしなければならないという同じ課題がある。
【課題を解決するための手段】
【０００６】
上記課題を解決するために、本発明に係る眼科装置は、
被検眼の画像を取得する光学系を備えた眼科装置において、
前記光学系を用いて前記被検眼の前眼部を撮影する前眼部撮影モード、または前記光学系を用いて前記被検眼の眼底を撮影する眼底撮影モードを選択する撮影モード選択手段と、
前記光学系を含む光学部を前記被検眼に対して移動する移動手段と、
前記光学系の光路に配置された対物レンズと、
前記対物レンズに対して前記被検眼とは反対側の光路に挿脱可能な前眼部撮影用レンズと、
前記前眼部撮影モードが選択された場合に、前記対物レンズに対して前記被検眼とは反対側の光路に前記前眼部撮影用レンズを挿入し、前記光学部の移動範囲を前記眼底撮影モードが選択された場合における移動範囲よりも狭い移動範囲に変更する範囲変更手段と、
を有することを特徴とする。
【発明の効果】
【０００７】
本発明によれば、前眼部撮影モードへの切換え時であっても装着部材の装着忘れ等を確実に認識することが可能となる。
【図面の簡単な説明】
【０００８】
【図１】本発明の一実施形態における被検眼の画像等を提示するキャプチャ画面の一態様を示す図である。
【図２】本発明の第１の実施形態に係る眼科装置の構造を模式的に示す図である。
【図３】本発明の第１の実施形態に係る眼科装置における測定光学系および分光器の構成模式的に示す図である。
【図４】本発明の第２の実施形態に係る眼科装置における本体概略構成を示す側面図である。
【図５】本発明の第１の実施形態において前眼撮影のための装着部材を取付けた状態にある眼科装置について、その本体の概略構成を示す側面図である。
【図６】第１の実施形態において検査セットを前眼撮影モードにセットした際のフローチャートを示す図である。
【図７】第１の実施形態において検査セットを前眼撮影モード以外のモードにセットした際のフローチャートを示す図である。
【図８】本発明の第３の実施形態に係る眼科装置の本体の概略構成を示す上面図である。
【図９】本発明の第３の実施形態に係る眼科装置における動作フローを示す図である。
【図１０】本発明の第４の実施形態に係る眼科装置における動作フローを示す図である。
【図１１】本発明の第５の実施形態に係る眼科装置の本体の概略構成を示す上面図である。
【図１２】本発明の第６の実施形態に係る眼科装置における動作フローを示す図である。
【図１３】本発明の第７の実施形態に係る眼科装置における動作フローを示す図である。
【発明を実施するための形態】
【０００９】
［第１の実施形態］
図面を参照して、本発明の第１の実施形態に係る眼科装置およびその動作フローについて説明する。
【００１０】
（本体構成）
図２（ｂ）は、第１の実施形態に係る眼科装置の側面図である。２００は眼科装置、２０８は前眼画像および眼底の２次元像および断層像を取得するための測定光学系である光学ヘッド、２０７は光学ヘッドをＸＹＺ方向に不図示のモータを用いて移動可能とした移動部であるステージ部である。２０６は後述の分光器を内蔵するベース部である。
【００１１】
２０９はステージ部の制御部を兼ねるパソコンであり、ステージ部の制御とともに後述する断層画像の構成等を行う。２１１は被検者情報記憶部と検査セット記憶手段、走査制御手段を兼ね、断層撮像用のプログラムなどを記憶するハードディクである。２１０は表示部であるモニタであり、２１２はパソコンへの指示を行う入力部であり、具体的にはキーボードとマウスから構成される。２０３は顔受けであり、被検者のあごと額とを固定することで、被検者の眼の固定を促す。２０４は、被検者の額を受けるシリコンゴム部材である。（以下では額当てと呼ぶ）２０５は被検者の顎を受ける部材で、不図示のアクチュエータにて、Ｙ軸方向に３０mmのストロークで動作し、被検眼の高さを調整する。（以下では顎受けと呼ぶ）図２(ａ)は、第１実施形態に係る眼科装置の正面図である。先に説明した額受けシリコンゴム部材２０４の取り付け部の上側筐体内部にホール素子２０１が取り付けられている。顎を受ける部材２０５の内部にも、ホール素子２０２が取り付けられている。ホール素子２０１および２０２は、眼科検査装置２００の内部に設置された不図示のＣＰＵ基板に接続されており、磁気を検知した場合に、検知する仕組みになっている。
【００１２】
なお、ここで述べた被検者の顎を受ける顎受け、あるいは額を受ける額受け（額当て）は本発明における装着部材の一態様であり、これらは少なくともその一方が用いられれば良い。また、これら装着部材は、眼科装置に装着されることにより、眼科装置の焦点を前眼部に対して移動させる作用を有する。
【００１３】
（測定光学系および分光器の構成）
本実施例の測定光学系および分光器の構成について図３を用いて説明する。
まず、光学ヘッド２０８部の内部について説明する。被検眼３０１に対向して対物レンズ３０２が設置されている。３３２は前眼観察用レンズであり、不図示の対物レンズ鏡筒に内側に切られたフィルターネジに着脱可能となっており、前眼部を撮影する際のみに装着されるレンズである。対物レンズの光軸は第１ダイクロイックミラ３０３によって、前眼観察用光路３３１とＯＣＴおよび眼底観察と内部固視灯用の光路３３４へ分岐される。そして、第２ダイクロイックミラ３０６によってＯＣＴ光学系の光路３３３、眼底観察と内部固視灯用の光路３３２に分岐される。
【００１４】
光路３３２はさらに第３ダイクロイックミラ３１０によって眼底観察用のＣＣＤ３１１および固視灯３１２への光路へと上記と同じく波長帯域ごとに分岐される。ここで３０８、３０９はレンズであり、３０８は固視灯および眼底観察用の焦点合わせのため不図示のモータによって駆動される。ＣＣＤ３１１は不図示の眼底観察用照明光の波長、具体的には７８０ｎｍ付近に感度を持つものである。一方、固視灯３１２は可視光を発生して被検者の固視を促すものである。
【００１５】
光路３３１において３０４はレンズ、３０５は前眼観察用の赤外ＣＣＤである。このＣＣＤ３０５は不図示の前眼観察用の波長、具体的には９７０ｎｍ付近に感度を持つものである。
【００１６】
光路３３３は前述の通りＯＣＴ光学系を成しており被検眼３０１の眼底の断層画像を撮像するためのものである。より具体的には断層画像を形成するための干渉信号を得るものである。３１４、３１５は光を眼底上で走査するためのＸＹスキャナである。３１６、３１７はレンズであり、そのうちレンズ３１６は光カプラ３１９に接続されているファイバ３１８から出射するＯＣＴ光源３２１からの光を被検眼３０１の眼底に焦点合わせするために不図示のモータによって駆動される。この焦点合わせによって被検眼３０１の眼底からの光は同時にファイバ３１８の先端に、スポット状に結像されて入射されることとなる。
【００１７】
次に、ＯＣＴ光源３２１からの光路と参照光学系、分光器３３５の構成について説明する。
３２１はＯＣＴ光源、３２５はミラー、３２４は分散補償用ガラス、３１９は前述した光カプラ、３１８、３２０、３２２、３２６は光カプラに接続されて一体化しているシングルモードの光ファイバ、３２３はレンズ、３３５は分光器である。
【００１８】
これらの構成によってマイケルソン干渉系を構成している。ＯＣＴ光源３２１から出射された光は光ファイバ３２０を通じ、光カプラ３１９を介して光ファイバ３１８側の測定光と光ファイバ３２２側の参照光とに分割される。
測定光は前述のＯＣＴ光学系光路を通じ、観察対象である被検眼３０１の眼底に照射され、網膜による反射や散乱により同じ光路を通じて光カプラ３１９に到達する。
【００１９】
光カプラ３１９によって、測定光と参照光は合波され干渉光となる。ここで、測定光の光路長と参照光の光路長がほぼ同一となったときに干渉を生じる。ミラー３２５は不図示のモータおよび駆動機構によって光軸方向に調整可能に保持され、被検眼３０１によって変わる測定光の光路長に参照光の光路長を合わせることが可能である。干渉光は光ファイバ３２６を介して分光器３３５に導かれる。
【００２０】
また３３６は光ファイバ３１８中に設けられた測定光側の偏光調整部である。３３７は光ファイバ３２２中に設けられた参照光側の偏光調整部である。これらの偏光調整部は光ファイバをループ状に引き回した部分を幾つか持ち、このループ状の部分をファイバの長手方向を中心として回動させることでファイバに捩じりを加えることで測定光と参照光の偏光状態を各々調整して合わせることが可能なものである。
分光器３３５はレンズ３２７、３２９、回折格子３２８、ラインセンサ３３０から構成される。
光ファイバ３２６から出射された干渉光はレンズ３２７を介して平行光となった後、回折格子３２８で分光され、レンズ３２９によってラインセンサ３３０に結像される。
【００２１】
次に、ＯＣＴ光源３２１の周辺について説明する。ＯＣＴ光源３２１は代表的な低コヒーレント光源であるＳＬＤ（Ｓｕｐｅｒ  Ｌｕｍｉｎｅｓｃｅｎｔ  Ｄｉｏｄｅ）である。中心波長は８５５ｎｍ、波長バンド幅は約１００ｎｍである。ここで、バンド幅は、得られる断層画像の光軸方向の分解能に影響するため、重要なパラメータである。また、光源の種類は、ここではＳＬＤを選択したが、低コヒーレント光が出射できればよく、ＡＳＥ（Ａｍｐｌｉｆｉｅｄ  Ｓｐｏｎｔａｎｅｏｕｓ  Ｅｍｉｓｓｉｏｎ）等を用いることができる。中心波長は眼を測定することを鑑みると近赤外光が適する。また、中心波長は得られる断層画像の横方向の分解能に影響するため、なるべく短波長であることが望ましい。双方の理由から中心波長８５５ｎｍとした。
【００２２】
本実施例では干渉系としてマイケルソン干渉系を用いたが、マッハツェンダー干渉系を用いても良い。測定光と参照光との光量差に応じて光量差が大きい場合にはマッハツェンダー干渉系を、光量差が比較的小さい場合にはマイケルソン干渉計を用いることが望ましい。
【００２３】
なお、以上に述べた光学系等において、被検者の眼底部の画像情報を得るための部材、およびこれらを動作させる構成であるパソコン２０９や後述するＣＰＵ等を、本発明のおける眼底情報取得手段として総称する。また、同様に、被検者の前眼部の画像情報を得るための部材、およびこれらを動作させる構成であるパソコン２０９や後述するＣＰＵ等を、本発明のおける前眼情報取得手段として総称する。
また、上述した光学系当の構成は、本発明において眼科装置において前眼部への光の照射と該光の前眼部からの反射光の受光を行う光学ヘッドとして機能する。
【００２４】
（断層画像の撮像方法）
眼科検査装置２００を用いた断層画像の撮像方法について説明する。眼科装置２００はＸＹスキャナ３１４、３１５を制御することで、被検眼３０１の所定部位の断層画像を撮像することができる。
【００２５】
まず、図中Ｘ方向に測定光３２１のスキャンを行い、眼底におけるＸ方向の撮像範囲から所定の撮像本数の情報をラインセンサ３３０で撮像する。Ｘ方向のある位置で得られるラインセンサ３３０上の輝度分布を高速フーリエ変換（Ｆａｓt  Ｆｏｕｒｉｅｒ  Ｔｒａｎｓｆｏｒｍ：ＦＦＴ）し，ＦＦＴで得られた線状の輝度分布をモニタ２１０に示すために濃度あるいはカラー情報に変換したものをＡスキャン画像と呼び、この複数のＡスキャン画像を並べた２次元の画像をＢスキャン画像と呼ぶ。１つのＢスキャン画像を構築するための複数のＡスキャン画像を撮像した後、Ｙ方向のスキャン値を移動させて再びＸ方向のスキャンを行うことにより、複数のＢスキャン画像を得る。
【００２６】
複数のＢスキャン画像、あるいは複数のＢスキャン画像から構築した３次元画像をモニタ２１０に表示することで検者が被検眼の診断に用いることができる。
上述では、Ｘ方向スキャンでＢスキャン画像を得る例を示したが、これに限ることは無く、Ｙ方向のスキャンでＢスキャン画像を得てもよい。また、Ｘ方向、Ｙ方向双方のスキャンによって任意のスキャンパターンにおいてＢスキャン画像を得てもよい。
【００２７】
（検査セット）
検査セットについて説明する。スキャンパターンには多種の軌跡、例えば、ラインスキャンやクロスラインスキャン、複数ラインスキャン、サークルスキャン、ラジアルスキャン等がある。様々な病変に対して適切な検査を行うためには、これらの中から適切なスキャンパターンを決定する必要がある。また、病変によっては、複数のスキャンパターンを用いて検査することが必要である。
【００２８】
スキャンパターン記憶部には、予め検査したい病変に適したスキャンパターンが記憶されている。例えば、黄斑部の疾患であれば、全体をスキャンする３Ｄスキャンや水平および垂直方向のクロススキャン、乳頭部の疾患で有れば、水平ラインスキャン、サークルスキャン等が記憶されている。
【００２９】
このように、予め病変に適したスキャンパターンを予め用意しておくことで、様々な病変に対してもそれぞれに適した検査を行うことができ、かつ検者は用意された検査セットの中から適切な検査セットを選択するのみで良いため、検者の手間を減らし、スループットを向上させることができる。
【００３０】
（キャプチャ画面）
図１にキャプチャ画面を示す。
１０２は前眼観察用ＣＣＤによって得られた前眼観察画面、１１１は眼底観察用ＣＣＤによって得られた眼底２次元像表示画面、１０８は取得された断層画像を確認するための断層画像表示画面である。
１０１は被検眼の左右眼を切り替えるボタンであり、Ｌ、Ｒボタンを押すことにより、左右眼の初期位置に光学ヘッド２０８を移動する。
【００３１】
１１５は検査セット選択画面であり、選択されている検査セットを表示する。検査セットを変更する際には、検者は１１４をクリックすることで、不図示のプルダウンメニューを表示させ、所望の検査セットを選択する。前期の不図示のプルダウンメニューの一つに、前眼撮影モードがある。前眼撮影モードが選択された場合の動作は後述する。また、走査パターン表示画面１１３には、現在選択されている検査セットで行うスキャンパターンの名称、例えば水平スキャン、垂直スキャン、クロススキャンなどを表示する。
【００３２】
前眼観察画面１０２上の任意の点をマウスでクリックすることで、その点を画面の中心にするよう光学ヘッド２０８を不図示のＸＹＺテーブルにて移動させ、光学ヘッドと被検眼の位置合わせを行う。
１０６は開始ボタンであり、このボタンを押すことで二次元画像および断層像の取得が開始され、２次元像表示画面１１１および断層画像表示画面１０８に取得した被検眼像がリアルタイムで表示される。
【００３３】
それぞれの画像の近傍に配置されているスライダは、調整を行うためのものである。スライダ１０４は被検眼に対する光学ヘッドのＺ方向の位置を調整するもの、スライダ110はフォーカス調整を行うもの、スライダ１０９はコヒーレンスゲートの位置を調整するものである。フォーカス調整は、眼底に対する合焦調整を行うために、レンズ３０８および３１６を図示の方向に移動する調整である。コヒーレンスゲート調整は、断層画像が断層画像表示画面の所望の位置で観察されるために、ミラー３２５を図示の方向に移動する調整である。これらの調整操作により、検者は最適な撮像が行える状態を創出する。
１０７は撮像ボタンであり、各種調整が終了したときに、このボタンを押すことで所望の撮像が行われる。
【００３４】
図５は、前眼撮影のための装着部材を取り付けた眼科装置側面図である。４０１は対物レンズ鏡筒部である。４０２は、焦点位置を被検者４０６の前眼部へ合わせるための部材である。（以下では前記部材４０２をアタッチメント額当てと呼ぶ）材質はシリコンゴムで出来ている。４０５は磁石である。磁石４０５は、アタッチメント額当て４０２の内部に組み込まれており、額当て２０４にかぶせるように顔受け２０３に装着する。そして脱落しないように不図示の面ファスナーあるいは着脱機構を設けて、顔受け２０３から脱落しないようにする。額当て２０４にかぶせるように顔受け２０３に装着するとホール素子２０１が磁気に反応し、アタッチメント額当て４０２が本体へ装着されていることを眼科装置２００の内部に設置された不図示のＣＰＵが検知する。４０３は、焦点位置を被検者４０６の前眼部へ合わせるための部材である。（以下では前記部材４０３をアタッチメント顎当てと呼ぶ）材質はシリコンゴムで出来ている。４０４は磁石である。磁石４０６は、アタッチメント顎当て４０３の内部に組み込まれており、顎当て４０３に被せるように顎受け２０５に装着する。アタッチメント顎当て４０３を顎受け２０５に被せるとホール素子２０２が磁気に反応し、アタッチメント顎受けが顎受け部へ装着されていることを眼科検査装置２００の内部に設置された不図示のＣＰＵが検知する。５０１は前眼撮影用レンズ３３２が組み込まれた鏡筒である。従って、この場合には装着部材として、対物レンズの前に装着される光学部材も含まれる。対物レンズ鏡筒部４０１の不図示フィルターネジ部へねじ込んで眼科検査装置２００へ装着している。５０２は磁石である。磁石５０２は、鏡筒５０１のフィルターネジ付近に組み込まれている。５０３はホール素子である。ホール素子５０３は、眼科装置２００の内部に設置された不図示のＣＰＵに電気的に接続されている。対物レンズ鏡筒部４０１の不図示フィルターネジ部へねじ込んで眼科検査装置２００へ装着するとホール素子５０３が、磁石５０２に反応し、鏡筒５０１が眼科装置２００に取り付けられたことを眼科検査装置２００の内部に設置された不図示のＣＰＵが検知する。以上に述べた前眼撮影用装着部材４０２、４０３、５０１の検知にホール素子の例を示したが、静電容量型の距離センサやスイッチ式のセンサで装着を検知してもよい。
【００３５】
なお、これら眼科装置に装着される装着部材の装着の有無を判定するためのホール素子等のセンサ、および当該センサから得られる信号より実際に装着の有無を判定するＣＰＵあるいはパソコン２０９における判定用のモジュール領域を含め、本発明における判定手段として総称する。当該判定手段は、後述する撮影モード選択手段による前眼部撮影モードの選択の有無の判定も実行する。また、本発明の装着部材としては、測定光の光路における対物レンズの被検眼側に装着する光学部材等もその一態様として例示される。
【００３６】
図６は、検査セット１１５を前眼撮影モードにセットした際のフローである。
Ｓ６０１では、撮影モード選択手段により、検査セット１１５を前眼撮影モードにセットする。当該前眼撮影モードの選択は、ＣＰＵあるいはパソコン２０９において前眼部の画像情報を得る前眼部撮影モードを選択する撮影モード選択手段として機能するモジュール領域により実行される。次にＳ６０２に遷移する。Ｓ６０２では、ＣＰＵにより、開始ボタン１０６が無効にされる。Ｓ６０３では、前述した判定手段が、鏡筒５０１が眼科装置２００に装着されているかどうかを判断する。鏡筒５０１が装着されている場合はＳ６０４へ、鏡筒５０１が装着されていない場合はＳ６０９へ遷移する。Ｓ６０９では、表示制御手段によって制御された表示手段を構成する表示画面１００の１０５へ、鏡筒５０１が装着されていない警告を表示しＳ６０３へ戻る。Ｓ６０４では、判定手段がアタッチメント額当て４０２が眼科装置２００に装着されているかどうかを判断する。アタッチメント額当て４０２が装着されている場合はＳ６０５へ、アタッチメント額当て４０２が装着されていない場合はＳ６１０へ遷移する。Ｓ６１０では、表示制御手段により制御された表示画面１００の１０５へ、アタッチメント額当て４０２が装着されていない警告を表示し、Ｓ６０４へ戻る。Ｓ６０５では、判定手段がアタッチメント顎当て４０３が顎受け２０５に装着されているかどうかを判断する。アタッチメント顎当て４０３が装着されている場合はＳ６０６へ、アタッチメント顎当て４０３が装着されていない場合はＳ６１１へ遷移する。Ｓ６１１では、表示手段が、表示画面１００の１０５へ、アタッチメント顎当て４０３が装着されていない警告を表示し、Ｓ６０５へ戻る。Ｓ６０６では、ＣＰＵが開始ボタン１０６を有効にする。ここまで到達すると前眼観察撮影に関する装着部材が全て装着されているので、前眼撮影が間違いなくできるようになる。Ｓ６０７では、前眼撮影モード終了の判断が行われる。前眼撮影モード終了していない場合は、Ｓ６０３へ戻る。前眼撮影モード終了している場合は、Ｓ６０８へ遷移する。Ｓ６０８では、前眼撮影モードが終了する。
【００３７】
上述した警告の表示は、判定手段による判定結果に基づいて検者への報知が必要となる警告を行う警告手段として機能する。その際、前眼部撮影モードの選択の有無を示す表示と、装着部材の装着の有無とを示す表示のうちの少なくとも一方の表示形態を指定し、警告手段の一つとしても機能可能な表示手段にこれを指示する表示制御手段として機能するモジュール領域を、該制御手段に配することが好ましい。更にこの場合、判定手段が、前眼撮影モードが選択された状態で装着部材が眼科装置に装着されていないと判定した場合、あるいは、前眼部撮影モードが選択されていない状態で装着部材が眼科検査装置に装着されていると判定した場合、警告手段に検者への警告の報知を例えは表示画面１００の１０５において行っている。しかし、前述した特定の警告手段による報知に関連する前述の表示形態を常にこの１０５に表示させておいても良い。
また、当該警告手段による警告の報知、あるいは後述する動作規制範囲の設定等は、判定手段の判定結果に基づいて行われる眼科装置の所定の動作に対応し、当該所定の動作はＣＰＵあるいはパソコン２０９において制御手段として機能するモジュール領域により実行される。
なお、該判定手段は、前眼部撮影モードの選択と、眼科装置に対する所定の箇所への着脱可能な装着部材の装着と、のうちの少なくとも一方の有無の判定を行えば良く、この場合、制御手段は当該判定結果に基づいて所定の動作を行わせることとすれば良い。この場合所定の動作は、警告手段による報知が好ましい。また、本発明の一態様として、前眼部撮影モードの選択と、装着部材の該所定の箇所への装着とのうち一方が行われて他方が行われていない場合、他方が行われていないことを示す表示制御手段が指示する特定の表示形態によって表示手段に表示させても良い。更にこの場合、装着部材が装着されていないこと、或いは前眼部撮影モードが選択されていないこと、を表示制御手段が指示する特定の表示形態により、これを表示手段に表示させることが好ましい。
また、本発明は、その一態様として、測定光を照射した被検者の被検眼からの戻り光に基づいて該被検眼の画像を取得する眼科装置において、被検眼の前眼部の画像を取得する前眼部撮影モードを選択する撮影モード選択手段と、前眼部撮影モードが選択された場合、測定光の光路における対物レンズの被検眼側に前眼部撮影用レンズを挿入する制御手段とを配した構成も包含する。
【００３８】
図７は、検査セット１１５を前眼撮影モード以外にセットした際のフローである。
【００３９】
Ｓ７０１では、撮影モード選択手段が検査セット１１５を前眼撮影モード以外にセットする。次にＳ７０２に遷移する。Ｓ７０２では、ＣＰＵが開始ボタン１０６を無効にする。Ｓ７０３では、判定手段が、鏡筒５０１が眼科検査装置２００に装着されているかどうかを判断する。鏡筒５０１が装着されている場合はＳ７０９へ、鏡筒５０１が装着されていない場合はＳ７０４へ遷移する。Ｓ７０９では、表示制御手段により、表示手段を構成する表示画面１００の１０５へ、鏡筒５０１が装着されている警告を表示し、Ｓ７０３へ戻る。Ｓ７０４では、判定手段がアタッチメント額当て４０２が眼科装置２００に装着されているかどうかを判断する。アタッチメント額当て４０２が装着されている場合はＳ７１０へ、アタッチメント額当て４０２が装着されていない場合はＳ７０５へ遷移する。Ｓ７１０では、表示手段が表示画面１００の１０５へ、アタッチメント額当て４０２が装着されている警告を表示し、Ｓ７０４へ戻る。Ｓ７０５では、判定手段がアタッチメント顎当て４０３が顎受け２０５に装着されているかどうかを判断する。アタッチメント顎当て４０３が装着されている場合はＳ７１１へ、アタッチメント顎当て４０３が装着されていない場合はＳ７０５へ遷移する。Ｓ７１１では、表示手段が表示画面１００の１０５へ、アタッチメント顎当て４０３が装着されている警告を表示する。Ｓ７０６では、ＣＰＵが開始ボタン１０６を有効にする。ここまで到達すると前眼観察撮影モードの装着部材が全て装着されていないので、前眼撮影モード以外が間違いなくできるようになる。Ｓ７０７では、判定手段が前眼撮影モード以外終了の判断をする。前眼撮影モード以外が終了していない場合は、Ｓ７０３へ戻る。前眼撮影モード以外が終了している場合は、Ｓ７０８へ遷移する。Ｓ７０８では、前眼撮影モード以外が終了する。
【００４０】
以上に述べたように、前眼撮影モードに切り替えると前眼撮影のための装着部材４０２、４０３、５０１が眼科装置２００に装着されていないと開始ボタン１０６が有効にならない。また、前眼撮影モード以外では、前眼撮影のための装着部材４０２、４０３、５０１が眼科装置２００に装着されていると、開始ボタン１０６が有効にならない。このために、前眼撮影モードのための装着部材の取り外しが間違いなくできるようになる。
【００４１】
［第２の実施形態］
図面を参照して、本発明に係る第２の実施形態について説明する。
図４は、第２の実施形態に係る眼科装置の側面図である。第１の実施形態と、測定光学系および分光器の構成、断層画像の撮像方法、検査セット、キャプチャ画面は同じである。本体構成については、光学ヘッド２０８のＺ軸の移動量を２０mm拡大している。このため、第１の実施形態で示した鏡筒５０１を装着しなくても、アタッチメント額当て４０２、アタッチメント顎当て４０３の装着のみで、前眼撮影が可能な仕様に構成されていることのみが異なる。動作フローについては、図６のＳ６０３、図７のＳ７０３判断部とそれの分岐Ｓ６０９、Ｓ７０９が無いのが異なるだけである。
以上に述べたように、前眼撮影モードに切り替えると前眼撮影のための装着部材４０２、４０３が眼科装置２００に装着されていないと開始ボタン１０６が有効にならない。また、前眼撮影モード以外では、前眼撮影のための装着部材４０２、４０３が眼科装置２００に装着されていると、開始ボタン１０６が有効にならない。このために、前眼撮影モードのための装着部材の取り外しが間違いなくできるようになる。また、この例では鏡筒５０１が不要な構成を示しているが、前眼撮影モード時に必要な装着部材が１つの場合でも、同様に実施できるものであることを付け加えておく。
【００４２】
［第３の実施形態］
図面を参照して、本発明に係る第３の実施形態について説明する。
図８は、第３の実施形態に係る眼科装置の本体上面図である。この図面は説明の便宜上、顔受け２０３を省略している。構成については、第１の実施形態で示したフローチャートにあらたな動作フロー追加された点のみがことなる。このフローの説明は後述する。
【００４３】
８０１は被検者である。８０２は、光学ヘッド部２０８の動作規制範囲内である。この動作規制範囲内８０２で光学ヘッド部２０８を動作させることで、被検者と光学ヘッドの距離を適切に保っている。
光学ヘッド２０８の移動は、前記光学ヘッド２０８を固定した不図示のＸＹＺテーブルを不図示のステッピングモータと送りねじで各軸を移動させ、各軸の原点は不図示の原点検出スイッチにて位置を把握するようにしている。
【００４４】
図８（ａ）は、眼底を撮影している図面である。図８（ｂ）は、前眼を撮影するために、鏡筒５０１を対物鏡筒のフィルターネジにねじ込んで装着している図である。この場合は、鏡筒５０１の体積分だけ光学ヘッド２０８の移動量を変更し、光学ヘッド２０８と鏡筒５０１までを動作規制範囲内８０２の中におさめている。
【００４５】
図９は動作のフロー図である。Ｓ９０１で、ＣＰＵによるフロー開始の指示がなされる。Ｓ９０２で、判定手段が鏡筒５０１が光学ヘッド２０８の対物鏡筒部４０１に装着されているか判断する。鏡筒５０１が装着されている場合はＳ９０４へ、鏡筒５０１が装着されていない場合はＳ９０３へ遷移する。Ｓ９０４では、制御手段が、鏡筒５０１と光学ヘッド２０８が動作規制範囲内８０２から飛び出さないように光学ヘッド２０８の移動量を制限する。 
Ｓ９０３では、制御手段が、光学ヘッド２０８が動作規制範囲内８０２から飛び出さないように光学ヘッド２０８の移動量を制限する。Ｓ９０５はフローの終了である。
最後に、上記の光学ヘッド２０８の移動手段は、ステッピングモータの構成で説明されているが、鏡筒５０１の装着を検知して、光学ヘッド２０８の移動手段が制限できれば、どのような手段でもよい。
【００４６】
以上に述べたように、前眼装着部材が装着された場合でも、光学ヘッドの動作規制範囲を変更することで、被検者と装置の距離を適切に保つことで、操作性が向上する。なお、これら光学ヘッドの動作規制範囲の設定は、上述したフローを実行するＣＰＵあるいはパソコン２０９において光学ヘッドの動作規制範囲を変更する範囲変更手段として機能するモジュール領域により実行される。また、本実施の形態において、前眼部撮影モードが選択されている、あるいは装着部材が眼科装置に装着されている、少なくとも何れかの状態であると判定手段が判定した際に制御手段が行う所定の動作は、この光学ヘッドの動作規制範囲を変更することとなる。
【００４７】
［第４の実施形態］
図面を参照して、本発明の第４の実施形態について述べる。本実施形態は第３の実施形態で述べた眼科装置の構成と同じ構成であり、図１０に示す動作フローにおいて異なっている。
【００４８】
当該フローにおいて、Ｓ１００１でＣＰＵ（制御手段）によりフローが開始される。Ｓ１００２で、判定手段が、前眼撮影モードが選択されているかを判断する。前眼撮影モードが選択されている場合はＳ１００４へ、前眼撮影モードが選択されていない場合はＳ１００３へ遷移する。Ｓ１００４では、制御手段が、鏡筒５０１と光学ヘッド２０８が動作規制範囲内８０２から飛び出さないように光学ヘッド２０８の移動量を制限する。 
Ｓ１００３では、光学ヘッド２０８が動作規制範囲内８０２から飛び出さないように光学ヘッド２０８の移動量を制限する。Ｓ１００５はフローの終了である。
【００４９】
［第５の実施形態］
図面を参照して、本発明の第５の実施形態について説明する。
第５の実施形態に係る眼科装置の構成は、第３の実施形態に係る眼科装置の鏡筒５０１に相当する不図示のレンズが、図３のＯＣＴ光学系の光路３３３内に、不図示の挿入脱出機構にて、挿入脱出されることと、その挿入脱出のフロー部が異なる。そして、図３のＯＣＴ光学系の光路３３３内に鏡筒５０１に相当する不図示のレンズが挿入されると、被検者までのワーキングディスタンス（被検眼の角膜頂点と対物レンズの距離）が、眼底撮影時より１０mm長くなることも異なる。（以下では、前記距離を差分距離と呼ぶ。）
前記のＯＣＴ光学系の光路３３３への鏡筒５０１に相当する不図示のレンズの挿入脱出フローも、検査セット１１５が前眼撮影モードに切り替えられると、前記のＯＣＴ光学系の光路３３３内に前記不図示のレンズを挿入し、検査セット１１５が前眼撮影モード以外に設定されると、前記のＯＣＴ光学系の光路３３３内に前記不図示のレンズを脱出させるだけなので、フロー図は省略する。
【００５０】
上記の構成にて、検査セット１１５が前眼撮影モードにセットされると、光学ヘッド部２０８の動作範囲を差分距離だけ変更する。図１１（ａ）は、前眼撮影モード以外の光学ヘッド部２０８の動作範囲８０２で、図１１（ｂ）は、前眼撮影モードの光学ヘッド部２０８の動作範囲８０２である。上記の例では、装置本体内部の光路に光学部材を挿脱させる機構での光学ヘッド部２０８の動作範囲変更例を示した。
以上に述べたように、前眼装着部材が装着された場合でも、光学ヘッドの動作規制範囲を変更することで、被検者と装置の距離を適切に保つことで、操作性が向上する
【００５１】
［第６の実施形態］
図面を参照して、本発明に係る第６の実施形態について説明する。第６の実施形態に係る眼科装置の構成は、第３の実施形態に係る眼科装置と同じ構成で、後述する図１２に示す。フローのみが異なる。Ｓ１２０１では、制御手段によりフローの開始が指示される。Ｓ１２０２では、判定手段が鏡筒５０１の装着を判断する。鏡筒５０１が装着されている場合は、Ｓ１２０４へ、鏡筒５０１が装着されていない場合は、Ｓ１２０３へ遷移する。Ｓ１２０４では、制御手段が、光学ヘッド２０８を＋Ｚ方向のリミットポイントまで移動させる。そして、Ｓ１２０３へ遷移する。Ｓ１２０３では、制御手段による検査を開始する指示が為される。
【００５２】
以上に示したように、前眼撮影に関連した装着部材の装着を検知した場合は、光学ヘッドを被検者から遠ざけることで、被検者へ圧迫感を感じさせないようにしている。さらには、不意の誤操作を避けられる。
即ち、本実施形態においては、装着部材は前眼アタッチメントレンズ（前眼撮影用レンズ３３２）が例示される。また、前眼撮影モードが選択されている、と共に前眼アタッチメントレンズが眼科装置に装着されている、と判定手段が判定した場合に、制御手段は所定の動作として、光学ヘッド移動手段によって光学ヘッドを被検者から最も離れた位置に移動させる。なお、ここで述べる光学ヘッドは、前述した眼科装置において前眼部への光の照射と前眼部からの反射光の受光とを行う構成に対応し、光学ヘッド移動手段は前述した該光学ヘッドを特にＺ方向に移動させる構成に対応する。
【００５３】
［第７の実施形態］
図面を参照して、本発明に係る第７の実施形態について説明する。第７の実施形態に係る眼科装置の構成は、第３の実施形態に係る眼科装置と同じ構成で、後述する図１３に示す。フローのみが異なる。Ｓ１３０１では、プログラムの開始。Ｓ１３０２では、検査セット１１５が前眼撮影モードに設定されているか否かを判断する。鏡筒５０１が装着されている場合は、Ｓ１３０４へ、鏡筒５０１が装着されていない場合は、Ｓ１３０３へ遷移する。Ｓ１３０４では、光学ヘッド２０８を＋Ｚ方向のリミットポイントまで移動させる。そして、Ｓ１３０３へ遷移する。Ｓ１３０３では、検査を開始する。
【００５４】
以上に示したように、前眼撮影に関連した装着部材の装着を検知した場合は、光学ヘッドを被検者から遠ざけることで、被検者へ圧迫感を感じさせないようにしている。さらには、不意の誤操作を避けられる。
【００５５】
［その他の実施例］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００５６】
本発明に係る眼科装置に対して以上の構成を配することにより、前眼部撮影モードに切り替えた際に、前眼撮影のための装着物の装着忘れが認識できる、前眼部撮影モード以外のモードに遷移した際に前眼撮影のための装着物が装着されていることが認識できる、あるいは前眼撮影モードに切り替わると、動作の規制範囲が切り替えられるので、撮影の動作が普段通りにできる、さらには前眼撮影モードに切り替わると、装置を被検者から最も遠ざけるので、誤操作を避けられる、といった効果が得られる。
【符号の説明】
【００５７】
１００  表示画面
１０２  前眼観察画面
１０８  断層画像表示画面
１１１  ２次元像表示画面
１１３  走査パターン表示画面
２００  眼科装置
２０７  ステージ部
２０８  光学ヘッド
２０９  パソコン
２１０  表示部
２０３  顔受け
２０４  額当て
２０５  顎受け
３０１  被検眼
３３２  前眼観察用レンズ
４０１  レンズ鏡筒
４０２  額当て
４０３  顎当て
５０１  鏡筒
【図１】
0005777657.tif 000002
【図２】
0005777657.tif 000003
【図３】
0005777657.tif 000004
【図４】
0005777657.tif 000005
【図５】
0005777657.tif 000006
【図６】
0005777657.tif 000007
【図７】
0005777657.tif 000008
【図８】
0005777657.tif 000009
【図９】
0005777657.tif 000010
【図１０】
0005777657.tif 000011
【図１１】
0005777657.tif 000012
【図１２】
0005777657.tif 000013
【図１３】
0005777657.tif 000014